【手続補正書】
【提出日】平成24年12月12日(2012.12.12)
【手続補正１】
【補正対象書類名】明細書
【補正対象項目名】発明の名称
【補正方法】変更
【補正の内容】
【発明の名称】参照信号配置方法、チャネル情報測定方法、基地局装置および端末装置
【手続補正２】
【補正対象書類名】明細書
【補正対象項目名】０００１
【補正方法】変更
【補正の内容】
【０００１】
本公開は、参照信号配置方法、チャネル情報測定方法、基地局装置および端末装置に関する。
【手続補正３】
【補正対象書類名】特許請求の範囲
【補正対象項目名】全文
【補正方法】変更
【補正の内容】
【特許請求の範囲】
【請求項１】
異なる時間周波数を有する複数のリソースからなるリソースブロックにおいて、前記複数のリソースのうち、少なくとも一つのリソースに参照信号を配置する配置工程と、
前記複数のリソースから、信号を送信しない少なくとも一つのリソースを選択する選択工程と、
を有し、
セルにおける端末に対して、配置された前記参照信号を送信し、選択された前記少なくとも一つのリソースでは信号を送信しない、
参照信号配置方法。
【請求項２】
前記選択工程は、他のセルにおいて参照信号が配置されるリソースと同一の時間周波数を有するリソースを、信号を送信しない前記少なくとも一つのリソースとして選択する、
請求項１に記載の参照信号配置方法。
【請求項３】
前記セルは、他のセルとの協調送信を行う、
請求項１又は２に記載の参照信号配置方法。
【請求項４】
前記セルは、他のセルとの協調式ビーム形成を行う、
請求項１から３のいずれかに記載の参照信号配置方法。
【請求項５】
前記参照信号は、前記端末において、チャネル情報を測定するために用いられる、
請求項１から４のいずれかに記載の参照信号配置方法。
【請求項６】
前記端末が前記参照信号に基づいて測定したチャネル情報を取得する取得工程をさらに有する、
請求項１から５のいずれかに記載の参照信号配置方法。
【請求項７】
信号を送信しない前記少なくとも一つのリソースにおいて、前記端末が、他のセルにおいて送信された参照信号に基づいて測定したチャネル情報を取得する取得工程をさらに有する、
請求項１から６のいずれかに記載の参照信号配置方法。
【請求項８】
前記チャネル情報は、ＣＳＩ又はＰＭＩである、
請求項５から７のいずれかに記載の参照信号配置方法。
【請求項９】
前記複数のリソースは、制御信号の送信に用いられる複数のリソースと、データ信号の送信に用いられる複数のリソースとからなり、
前記配置工程は、データ信号の送信に用いられる前記複数のリソースのうち、少なくとも一つのリソースに前記参照信号を配置し、
前記選択工程は、データ信号の送信に用いられる前記複数のリソースから、信号を送信しない前記少なくとも一つのリソースを選択する、
請求項１から８のいずれかに記載の参照信号配置方法。
【請求項１０】
前記配置工程は、前記複数のリソースのうち、少なくとも一つのリソースに、Ｒｅｌ−８参照信号を配置し、前記Ｒｅｌ−８参照信号が配置されるリソースとは異なるリソースに、前記参照信号を配置する、
請求項１から９のいずれかに記載の参照信号配置方法。
【請求項１１】
前記複数のリソースは、復調参照信号の送信に用いられるリソースを含み、
前記配置工程は、前記復調参照信号の送信に用いられるリソースに、前記参照信号を配置する、
請求項１から１０のいずれかに記載の参照信号配置方法。
【請求項１２】
前記複数のリソースは、復調参照信号の送信に用いられるリソースを含み、
前記配置工程は、前記復調参照信号の送信に用いられるリソースとは異なるリソースに、前記参照信号を配置する、
請求項１から１０のいずれかに記載の参照信号配置方法。
【請求項１３】
前記配置工程は、前記参照信号を、所定の間隔を有する複数のリソースブロックに配置する、
請求項１から１２のいずれかに記載の参照信号配置方法。
【請求項１４】
前記参照信号は電力感知参照信号である、
請求項１から１３のいずれかに記載の参照信号配置方法。
【請求項１５】
異なる時間周波数を有する複数のリソースからなるリソースブロックにおいて、前記複数のリソースのうち、少なくとも一つのリソースに配置され、セルにおいて送信された参照信号と、前記複数のリソースのうち、前記セルにおいて信号を送信しない少なくとも一つのリソースに配置され、他のセルにおいて送信された参照信号を受信する受信工程と、
前記参照信号に基づいて、チャネル情報を測定する測定工程と、
を有する、
チャネル情報測定方法。
【請求項１６】
前記セルは、サービングセルである、
請求項１５に記載のチャネル情報測定方法。
【請求項１７】
前記セルは、前記他のセルとの協調送信を行う、
請求項１５又は１６に記載のチャネル情報測定方法。
【請求項１８】
前記セルは、前記他のセルとの協調式ビーム形成を行う、
請求項１５から１７のいずれかに記載のチャネル情報測定方法。
【請求項１９】
前記チャネル情報は、ＣＳＩ又はＰＭＩである、
請求項１５から１８のいずれかに記載のチャネル情報測定方法。
【請求項２０】
前記複数のリソースは、制御信号の送信に用いられる複数のリソースと、データ信号の送信に用いられる複数のリソースとからなり、
前記受信工程は、データ信号の送信に用いられる前記複数のリソースのうち、少なくとも一つのリソースに配置され、前記セルにおいて送信された前記参照信号を受信し、データ信号の送信に用いられる前記複数のリソースのうち、前記セルにおいて信号を送信しない前記少なくとも一つのリソースに配置され、前記他のセルにおいて送信された前記参照信号を受信する、
請求項１５から１９のいずれかに記載のチャネル情報測定方法。
【請求項２１】
前記受信工程は、前記複数のリソースのうち、少なくとも一つのリソースに配置されたＲｅｌ−８参照信号を受信し、前記Ｒｅｌ−８参照信号が配置されたリソースとは異なるリソースに配置された前記参照信号を受信する、
請求項１５から２０のいずれかに記載のチャネル情報測定方法。
【請求項２２】
前記複数のリソースは、復調参照信号の送信に用いられるリソースを含み、
前記受信工程は、前記復調参照信号の送信に用いられるリソースに配置された前記参照信号を受信する、
請求項１５から２１のいずれかに記載のチャネル情報測定方法。
【請求項２３】
前記複数のリソースは、復調参照信号の送信に用いられるリソースを含み、
前記受信工程は、前記復調参照信号の送信に用いられるリソースとは異なるリソースに配置された前記参照信号を受信する、
請求項１５から２１のいずれかに記載のチャネル情報測定方法。
【請求項２４】
前記受信工程は、所定の間隔を有する複数のリソースブロックに配置された前記参照信号を受信する、
請求項１５から２３のいずれかに記載のチャネル情報測定方法。
【請求項２５】
前記参照信号は電力感知参照信号である、
請求項１５から２４のいずれかに記載のチャネル情報測定方法。
【請求項２６】
請求項１から１４のいずれかに記載の参照信号配置方法を実行する基地局装置。
【請求項２７】
請求項１５から２５のいずれかに記載のチャネル情報測定方法を実行する端末装置。
【請求項２８】
異なる時間周波数を有する複数のリソースからなるリソースブロックにおいて、前記複数のリソースのうち、少なくとも一つのリソースに参照信号を配置する配置手段と、
前記複数のリソースから、信号を送信しない少なくとも一つのリソースを選択する選択手段と、
を有し、
セルにおける端末に対して、配置された前記参照信号を送信し、選択された前記少なくとも一つのリソースでは信号を送信しない、
基地局装置。
【請求項２９】
前記選択手段は、他のセルにおいて参照信号が配置されたリソースと同一の時間周波数を有するリソースを、信号を送信しない前記少なくとも一つのリソースとして選択する、
請求項２８に記載の基地局装置。
【請求項３０】
前記端末が前記参照信号に基づいて測定したチャネル情報を取得する取得手段をさらに有する、
請求項２８又は２９のいずれかに記載の基地局装置。
【請求項３１】
前記取得手段は、信号を送信しない前記少なくとも一つのリソースにおいて、前記端末が、他のセルにおいて送信された参照信号に基づいて測定したチャネル情報を取得する、
請求項３０に記載の基地局装置。
【請求項３２】
前記配置手段は、前記複数のリソースのうち、少なくとも一つのリソースに、Ｒｅｌ−８参照信号を配置し、前記Ｒｅｌ−８参照信号が配置されるリソースとは異なるリソースに、前記参照信号を配置する、
請求項２８から３１のいずれかに記載の基地局装置。
【請求項３３】
異なる時間周波数を有する複数のリソースからなるリソースブロックにおいて、前記複数のリソースのうち、少なくとも一つのリソースに配置され、セルにおいて送信された参照信号と、前記複数のリソースのうち、前記セルにおいて信号を送信しない少なくとも一つのリソースに配置され、他のセルにおいて送信された参照信号を受信する受信手段と、
前記参照信号に基づいて、チャネル情報を測定する測定手段と、
を有する、
端末装置。
【請求項３４】
前記受信手段は、前記複数のリソースのうち、少なくとも一つのリソースに配置されたＲｅｌ−８参照信号を受信し、前記Ｒｅｌ−８参照信号が配置されたリソースとは異なるリソースに配置された前記参照信号を受信する、
請求項３３に記載の端末装置。